(57)【要約】ＶＨＦハイ−バンドパス回路及びＵＨＦバンドパス回路に対する結合された入力部を持つＩＣを用いることによって、同調された回路の１つによって引き起こされる好ましくない共振が起こる。この問題は、ＶＨＦハイ−バンド信号がＶＨＦハイ−バンドパス回路により入力されるとき、結合された入力部からＵＨＦバンドパス回路を切り離すスイッチング手段を提供することによって解決される。このスイッチング手段は、ＵＨＦバンドパス回路と共通の入力部との間に結合されるスイッチを有する。
2004520758.tif 000002
【特許請求の範囲】
【請求項１】
−第１の放送帯域における第１の信号を入力し、第１の出力信号を供給するための第１の出力端子を有する第１のバンドパス回路、
−第２の放送帯域における第２の信号を入力し、第２の出力信号を供給するための第２の出力端子を有する第２のバンドパス回路、
−前記第１の出力信号及び前記第２の出力信号を共に入力する共通の入力部を持つミキサ回路、及び
−前記第２の出力信号が前記共通の入力部に存在するとき、前記共通の入力部の少なくとも１つから前記第１のバンドパス回路を切り離すスイッチング手段、
を有するチューナ。
【請求項２】
請求項１に記載のチューナにおいて、前記第１の放送帯域はＵＨＦバンドであり、前記第２の放送帯域はＶＨＦハイ−バンドであるチューナ。
【請求項３】
請求項１に記載のチューナにおいて、前記スイッチング手段は、前記第１の出力端子の少なくとも１つと、前記共通の入力部の対応する１つとの間に結合されるスイッチを有するチューナ。
【請求項４】
請求項１に記載のチューナにおいて、前記スイッチング手段は、前記第１の出力信号を短絡するためのスイッチを有するチューナ。
【請求項５】
請求項３又は４に記載のチューナにおいて、前記スイッチは、バイアス電圧により制御可能なダイオードであるチューナ。
【発明の詳細な説明】
【０００１】
【発明の属する技術分野】
本発明は、ＵＨＦバンドパス回路とＶＨＦバンドパス回路と備えるチューナに関する。
【０００２】
【従来の技術】
米国特許公報ＵＳ ６，２２５，８６５号は、異なる指向性を持つアンテナ間をスイッチングするスイッチング回路を開示している。このスイッチング回路は、追加の減衰回路を必要とすること無く、周波数のＶＨＦ／ＵＨＦバンドにおいて“オフ”信号用の絶縁を供給する。スイッチング回路は、入力信号を増幅する増幅器と、この増幅された信号を共通の出力部に結合させるスイッチング装置とを含んでいる。このスイッチング回路は、制御回路も有し、この制御回路は、スイッチング装置を導通状態にさせ、同時に増幅器に入力信号を増幅することができるようにする制御信号の第１の状態に反応する。制御回路は、スイッチング装置を非導通状態にさせ、同時に出力部から入力信号をさらに絶縁するために増幅器からＤＣ動作電圧を取り除く制御信号の第２の状態にも反応する。
【０００３】
【発明が解決しようとする課題】
本発明の目的はとりわけ、第２のバンドパス回路が共通の入力部に出力信号を与えるとき、この共通の入力部から第１のバンドパス回路を切り離すことである。
【０００４】
【課題を解決するための手段】
本発明は、
−第１の放送帯域における第１の信号を入力し、第１の出力信号を供給するための第１の出力端子を有する第１のバンドパス回路、
−第２の放送帯域における第２の信号を入力し、第２の出力信号を供給するための第２の出力端子を有する第２のバンドパス回路、
−第１の出力信号及び第２の出力信号を共に入力する共通の入力部を持つミキサ回路、及び
−前記第２の出力信号が前記共通の入力部に存在するとき、前記共通の入力部の少なくとも１つから第１のバンドパス回路を切り離すスイッチング手段、
を有するチューナにより、記載された問題を解決する。
【０００５】
本発明の第１の実施例に従い、第１の放送帯域はＵＨＦバンドであり、第２の放送帯域はＶＨＦバンドである。スイッチング手段は、第１の出力端子の少なくとも１つと共通の入力部の対応する１つとの間に結合されるスイッチを有する。
【０００６】
本発明の他の実施例に従って、スイッチング手段は、第１の出力信号を短絡させるスイッチを有し、このスイッチは、バイアス電圧により制御可能なダイオードである。
【０００７】
【発明の実施の形態】
図１は、第１及び第２のバンドパス回路の両方に対し共通の入力部を持つミキサ回路に接続される第１のバンドパス回路と第２のバンドパス回路との実施例を示す。この第１のバンドパス回路は通例、ＵＨＦバンドにおける信号を入力し、この信号を供給するための第１の出力端子を持つ、ＵＨＦバンドパスフィルタ１である。第２のバンドパス回路は、ＶＨＦバンドにおける信号を入力し、この信号を供給するための第２の出力端子を持つ、ＶＨＦハイ−バンドパスフィルタ４である。両方の出力端子は、ミキサ回路の結合される入力部２、３に接続される。このミキサ回路は、ＭＯＰＬＬ／ＭＯ（Ｍｉｘｅｒ ａｎｄ Ｏｓｃｉｌｌａｔｏｒ Ｐｈａｓｅ Ｌｏｃｋｅｄ Ｌｏｏｐ）ＩＣ７である。
【０００８】
ＵＨＦバンドパスフィルタ１により入力される信号は、結合素子を通りＩＣ７に到達する。結合素子は、キャパシタ６と直列にＩＣ７の入力部２に接続されるコイル５と、ＩＣ７の入力部３と直列に接続されるコイル８及びキャパシタ９とである。ＶＨＦハイ−バンドパスフィルタ４が信号を入力するとき、ＶＨＦハイ−バンドパスフィルタ４に同調している間、望まない共振が起こる。これらの望まない共振は、ＵＨＦバンドパス回路１の構成要素によって判明される。
【０００９】
図２において、例えば追加のスイッチングダイオード１０のようなスイッチング手段は、図１に示されるＵＨＦ複同調バンドパスフィルタのコイル５とキャパシタ６との間に直列に接続される。第２の追加のスイッチングダイオード１１は、コイル８とキャパシタ９との間に直列に接続される。制御電流は、抵抗１２を介してスイッチングダイオード１０の接続部に供給される。第２の制御電流は、抵抗１３を介してスイッチングダイオード１１の接続部に供給される。ダイオード１０とキャパシタ６との接続点において、短絡抵抗１４が接地されている。ダイオード１１とキャパシタ９との接続点において、短絡抵抗１５も接地されている。ダイオード１０及び１１は好ましくはショットキーバリア又はＰＩＮダイオードである。
【００１０】
ＵＨＦバンドパスフィルタ１により入力される信号は、コイル５、ダイオード１０及びキャパシタ６を通りＩＣ７の入力部２に到達し、コイル８、ダイオード１１及びキャパシタ９を通りＩＣ７の入力部３に到達する。ダイオード１０、１１は、ＶＨＦハイ−バンドパス回路４が信号を入力するとき、信号をブロックすることによってスイッチとして働く。これは、ＵＨＦバンドパス回路１により引き起こされる好ましくない共振を防ぎ、この信号はＩＣ７の入力部２、３に到達する。
【００１１】
図３は、逆バイアスを持つ追加のスイッチングダイオード１０、１１を示す。これらダイオードは、ＩＣ  ＤＣバイアスを用いることにより反転される。ダイオード１０は、図２に示されるような短絡抵抗１４及びキャパシタ６を持たずに直接ＩＣ７の入力部２に接続される。ダイオード１１は、図２に示されるような短絡抵抗１５及びキャパシタ９を持たずに直接ＩＣ７の入力部３に接続される。
【００１２】
ＵＨＦバンドパスフィルタ１により入力される信号は、コイル５及びダイオード１０を通りＩＣ７の入力部２へ、コイル８及びダイオード１１を通りＩＣ７の入力部３へ到達する。ダイオード１０、１１は、ＶＨＦハイ−バンドパス回路４が信号を入力するとき、信号をブロックすることによってスイッチとして働く。これは、望まない共振が防がれ、ダイオードをオフにスイッチしたとき、キャパシタンスがさらに減少する利点を有する。
【００１３】
図４において、ＵＨＦバンドパスフィルタ１は、結合素子、すなわち図１に記載されるようなコイル５，８及びキャパシタ６，９を通り入力部２、３に接続されている。ＶＨＦハイ−バンドパスフィルタ４も、図１に示されるようにＩＣ７の結合される入力部２、３に接続されている。追加のスイッチングダイオード１６は、ＵＨＦバンドパスフィルタ１と個々のコイル５，８との接続点に接続されている。制御電流は、抵抗１２によってダイオード１６に供給され、この抵抗１７は、ＵＨＦバンドパスフィルタ１とコイル５との接続点に接続されている。
【００１４】
ＵＨＦバンドパスフィルタ１により入力される信号は、コイル５，８及びキャパシタ６，９を通りＩＣ７に到達する。ＶＨＦハイ−バンドが信号を入力するとき、ＵＨＦバンドパスフィルタ１は、追加のダイオード１６により短絡される。従って、この入力された信号は、ＩＣ７の入力部２，３に到達する。
【図面の簡単な説明】
【図１】ＵＨＦ複同調バンドパスフィルタの実施例を概略図形式で示す。
【図２】２つのスイッチングダイオードを有するＵＨＦ複同調バンドパスフィルタの実施例を概略図形式で示す。
【図３】２つのスイッチングダイオードと逆バイアスを持つＵＨＦ複同調バンドパスフィルタの実施例を概略図形式で示す。
【図４】単一のスイッチングダイオードを持つＵＨＦ複同調バンドパスフィルタの実施例を概略図形式で示す。
【国際公開パンフレット】
2004520758.tif 000003
2004520758.tif 000004
2004520758.tif 000005
2004520758.tif 000006
2004520758.tif 000007
2004520758.tif 000008
2004520758.tif 000009
2004520758.tif 000010
2004520758.tif 000011
【国際調査報告】
2004520758.tif 000012
2004520758.tif 000013